【事件の表示】
　平成　８年特許願第１３４９７６号「貨幣入出金機」拒絶査定不服審判事件〔平成　９年１２月１２日出願公開、特開平　９−３１９９２６〕について、次のとおり審決する。
【結　論】
　本件審判の請求は、成り立たない。
【理　由】
１．手続の経緯及び本願発明
　本件審判請求に係る出願は、平成８年５月２９日付けの出願であって、その請求項１に係る発明は、平成８年６月６日付、平成１５年６月２５日付、平成１５年１２月１９日付及び平成１８年１月２５日付手続補正書によって補正された明細書の特許請求の範囲の請求項１に記載された次のとおりのものである（以下、「本願発明」と言う。）。
「入金口に投入された貨幣を１枚ずつ繰込んで金種を識別し、複数の収納部へ分類収納するとともに、少くとも一つの収納部から貨幣を繰出して正常に繰出された貨幣のみを出金口へ投出するようにした貨幣入出金機において、
　複数の正常貨幣収納部と、
　リジェクト貨幣収納部と、
　前記各正常貨幣収納部のそれぞれに対し貨幣の入出を検知する貨幣入出検知手段と、
　入金時に、金種が識別された貨幣をその識別結果に基づいて前記正常貨幣収納部へ収納させ、係員が正常な紙幣であることを確認して受取ったにもかかわらず金種の識別ができなかった貨幣を前記リジェクト貨幣収納部へ収納させる入金制御部と、
　出金時に、正常に繰出された貨幣を出金口へ投出し、正常に繰出されなかった貨幣を前記リジェクト貨幣収納部へ収納させる出金制御部と、
　前記貨幣入出検知手段の検知内容に基づいて各正常貨幣収納部の収納部内在高を記憶するとともにその収納部内在高の合計値を機内在高として設定する在高管理手段と
を具備することを特徴とする貨幣入出金機。」
　
２．刊行物に記載された事項
　(1)当審における拒絶の理由に引用した、特開平６−２７４７４３号公報（以下、「引用例１」と言う。）には、次の事項が図面（特に図１、３、４参照）と共に記載されている。
　Ａ．「次に、紙幣入出金機１０１の構成を図２〜図４を参照して説明する。この紙幣入出金機１０１は、機体７の前面上部に設けられ、入金紙幣を受け入れかつ該入金紙幣を一枚ずつ繰り出すための入金口８と、該入金口８の下側に位置する機体７前面に設けられた出金／リジェクト口９と、前記入金口８から機体７の奥行き方向に向けて水平に配置され、途中でＵターンした後、機体７の前面方向に向けて水平に配置され、最終的に出金／リジェクト口９に至る紙幣搬送路１０と、該紙幣搬送路１０の戻り側ルートに、入金連絡路１１・１２、出金連絡路１３・１４を介して接続され、入金連絡路１１・１２を通じて入金された紙幣を集積収納するとともに、集積収納された紙幣を出金連絡路１３・１４を通じて出金紙幣として払い出す複数の還流スタッカ１５・１６と、還流スタッカ１５・１６の下流側に位置する紙幣搬送路１０に連絡路１７を介して接続された収納スタッカ１８と、入金口８と還流スタッカ１５・１６との間に位置する紙幣搬送路１０に設けられ、該紙幣搬送路１０により搬送される入金紙幣の金種、真偽、二重搬送などを鑑別する入金鑑別部１９と、還流スタッカ１５・１６と収納スタッカ１８との間の紙幣搬送路１０に設けられ、該紙幣搬送路１０により搬送された出金紙幣の二重搬送などを判別する出金判別部２０と、紙幣搬送路１０、還流スタッカ１５・１６等を制御する紙幣入出金用制御部Ｃ２（図３参照）とを主な構成要素とする。」（【００１２】）
　Ｂ．「すなわち、紙幣入出金用制御部Ｃ２は、選択手段４５にて還流モードが選択されている場合において、入金鑑別部１９が、（１）入金紙幣を正券の千券であると鑑別した場合には、…(略)…還流スタッカ１５に収納し、（２）入金紙幣を正券の五千券であると鑑別した場合には、…(略)…該五千券を入金連絡路１２を通じて還流スタッカ１６に収納し、（３）入金紙幣を正券の万券であると鑑別した場合には、…(略)…収納スタッカ１８に収納し、（４）入金紙幣を偽券、二重搬送などのリジェクト紙幣であると鑑別した場合には、…(略)…該リジェクト紙幣を直進させて、出金／リジェクト口９から払い戻し、（５）還流スタッカ１５・１６内の紙幣の収納枚数を管理する計数手段（図示略）からの出力に基づき、これら還流スタッカ１５・１６が満杯であると判定した場合には、…(略)…上記（１）〜（３）の正券の入金紙幣を連絡路１７を通じて収納スタッカ１８に収納する。なお、前記計数手段による満杯の判断は、入金連絡路１１・１２、出金連絡路１３・１４の途中に設けた計数センサ（図示略）の計数値に基づくものであっても、還流スタッカ１５・１６内の紙幣量を直接検知する光センサ（図示略）の検出信号に基づくものであっても良い。」（【００１５】）
　Ｃ．「ＰＯＳレジ１の釣銭指令で示された釣銭が千券である場合には、蹴出ローラ３２を駆動して還流スタッカ１５内の千券を入出金路２４、出金連絡路１３、紙幣搬送路１０を通じて出金／リジェクト口９の出金口９Ｂに払い出す。また、釣銭が五千券である場合には、蹴出ローラ３３を駆動して還流スタッカ１６内の五千券を入出金路２５、出金連絡路１４、紙幣搬送路１０を通じて出金／リジェクト口９の出金口９Ｂに所定枚数払い出す。また、このような千券、五千券の出金に際して出金判別部２０により二重搬送が検知された場合には、振分フォーク２３を駆動して該二重搬送紙幣を収納スタッカ１８に収納する。…(略)…払い出す。」（【００３４】）
　Ｄ．「また、上記実施例では、還流モードにおいて、入金紙幣中の正券の万券、出金紙幣の中のリジェクト紙幣（千券、五千券）を、非還流モードにおいて、入金紙幣中の正券、出金紙幣の中のリジェクト紙幣（千券、五千券）を収納ボックス１８に共に収納させるようにしたが、これに限定されず、例えばリジェクト紙幣を専用に収納するリジェクトスタッカ、万券紙幣を専用に収納する万券スタッカを別途設け、これら専用のリジェクトスタッカ、万券スタッカにリジェクト紙幣、万券を収納しても良い。」（【００４１】）
　(２)同じく特開平３−１０８０９３号公報（以下、「引用例２」と言う。）には、次の事項が図面と共に記載されている。
　Ｅ．「本発明は、金融機関等に設置される現金入出金装置に関する。」（公報１頁右欄６〜７行）
　Ｆ．「入金機能と出金機能を一体化し、しかも入金貨幣のうち、出金用として再利用可能な貨幣を改めて出金用の金種別収納庫に分配して、出金取引時に利用する貨幣還流式の現金入出金装置が相次いで発表されている。」（同１頁右欄１２〜１６行）
　Ｇ．「第２図は、従来の入出金装置の一例を示す断面図である。この装置は、テラー用端末装置に装着されている。」（同２頁右上欄４〜６行）
　Ｈ．「第１図は、本発明の現金入出金装置の断面図である。この装置は、接客口３、鑑別部４、入出金ユニット１８、一括収納庫１１、金種別収納庫８、９、１０、リジェクトカセット７等の機構を有している。」（同５頁右上欄１〜６行）
　Ｉ．「装置本体５０に別途内蔵された制御部の…(略)…によって装置の主な動作が制御されるよう構成されている。更に、この装置には、収納庫メモリ９９から必要な情報を読取り、かつ、一括収納庫１１とリジェクトカセット７と金種別収納庫８、９、１０への現金の出入りを計数する入出金管理部８０ｄと、その入出金情報記憶部１００とが設けられている。また、入出金情報記憶部に記憶された入出金情報に基づいて、適時装置本体の現金の有高を算出し、その結果を上位装置１１０に向けて通知する有高管理制御部８０ｅが設けられている。」（同５頁右上欄１０行〜左下欄３行）
　Ｊ．「第３図に示した装置においては、一括収納庫から(１)の経路により取出され、金種別収納庫８、９、１０に対し補充等がされる現金や、一括収納庫１１に対し(２)の経路で回収される現金の計数結果が、入出金管理部８０ｄに読取られる。また、出金取引や入金取引時に、斜行や重走がされた現金が、(３)の経路によりリジェクトカセット７に収納される。その計数結果も、入出金管理部８０ｄに読取られる。更に、金種別収納庫８、９、１０には、一括収納庫１１から補充される現金や、入金取引の際、入金される現金が(４)の経路を通じて収納される。一方、出金取引の際あるいは一括収納庫１１への現金の回収の際に、(５)の経路を通り現金が取出される。その計数結果が入出金管理部８０ｄに読取られる。入出金管理部８０ｄは、これらの計数により得られた入出金情報を、入出金情報記憶部１００に書込み記憶させる。」（同５頁右下欄１〜１８行：摘記した()数字は、原文では丸数字である。）
　Ｋ．「再び第１図に戻って、接客口３の左下側には、鑑別部４が設けられている。この鑑別部４は、送り込まれた紙幣の真偽、正損１表裏、２枚以上の重なり（画定）、及び斜行等を鑑別検知する装置である。この装置により、金種等の判別も行なわれる。」（同１１頁右上欄１１〜１６行）
　
３．引用例１に記載された発明
　上記Ｄの「リジェクト紙幣を専用に収納するリジェクトスタッカ、万券紙幣を専用に収納する万券スタッカを別途設け、これら専用のリジェクトスタッカ、万券スタッカにリジェクト紙幣、万券を収納しても良い。」との記載からみて、引用例１には、千券（千円紙幣）、五千券（五千円紙幣）をそれぞれ収納する還流スタッカとは別に、万券を専用に収納する万券スタッカ、リジェクト紙幣を専用に収納するリジェクトスタッカを設けた紙幣入出金機が記載されていると認められる。
　上記Ａ〜Ｃの記載も参酌すると、引用例１には、次のような発明が記載されていると認められる（以下、「引用例１記載の発明」と言う。）。
　「入金紙幣を一枚ずつ繰り出すための入金口と、入金口の下側に設けられた出金口と、入金紙幣の金種、真偽、二重搬送などを鑑別する入金鑑別部と、入金された千券、五千券を金種別に収納するとともに、収納された紙幣を出金連絡路を通じて出金紙幣として出金口に払い出す複数の還流スタッカと、入金された万券を収納する万券スタッカと、出金時のリジェクト紙幣を収納するリジェクトスタッカと、入金連絡路、出金連絡路の途中に設けた計数センサの計数値に基づき、還流スタッカ内の紙幣の収納枚数を管理する計数手段と、出金紙幣の二重搬送などを判別する出金判別部と、紙幣搬送路、還流スタッカ等を制御する紙幣入出金用制御部と、を具備する紙幣入出金機。」
　
４．対比・判断
　本願発明と引用例１記載の発明とを対比する。
　引用例１記載の発明の「還流スタッカと万券スタッカ」、「リジェクトスタッカ」、「紙幣入出金用制御部」は、本願発明の「正常紙幣収納部」、「リジェクト紙幣収納部」、「入金制御部と出金制御部」に、それぞれ相当する。
　又、引用例１記載の発明の「計数センサ」は、入金連絡路(11、12)、出金連絡路(13、14)の途中に設けられており、図３を参酌すれば、２つの還流スタッカ(15、16)それぞれに入出する紙幣を検知していることは明らかであるから、本願発明の「貨幣入出検知手段」に相当する。
　ところで、本願発明の「貨幣入出検知手段」が検知の対象とするものは、「正常紙幣収納部」であるところ、本願発明の「正常紙幣収納部」は、実施例をみると、２つの還流スタッカと収納スタッカとで構成されており（本願明細書【００１５】参照）、そうであれば、本願発明は、収納スタッカに対し紙幣の入出を検知する「貨幣入出検知手段」も具備するものであり、他方、引用例１記載の発明の紙幣入出金機は、上記のとおり、２つの還流スタッカに対する紙幣の入出を検知する「計数センサ（貨幣入出検知手段）」は具備しているが、万券（万円紙幣）を収納する万券スタッカ（本願発明の「収納スタッカ」に相当）に対する紙幣の入出を検知する「計数センサ」を具備するか否かは記載がないので、この点を相違点として挙げる。
　なお、本願発明に言う「貨幣」は、明細書の記載からみて、「紙幣」と解しても何ら矛盾しない。
　したがって、本願発明１と刊行物１記載の発明とは、次の一致点、相違点を有するものと認められる。
【一致点】
　入金口に投入された貨幣を１枚ずつ繰込んで金種を識別し、複数の収納部へ分類収納するとともに、少くとも一つの収納部から貨幣を繰出して正常に繰出された貨幣のみを出金口へ投出するようにした貨幣入出金機において、
　複数の正常貨幣収納部と、
　リジェクト貨幣収納部と、
　前記各正常貨幣収納部のそれぞれに対し貨幣の入出を検知する貨幣入出検知手段と、
　入金時に、金種が識別された貨幣をその識別結果に基づいて前記正常貨幣収納部へ収納させる入金制御部と、
　出金時に、正常に繰出された貨幣を出金口へ投出し、正常に繰出されなかった貨幣を前記リジェクト貨幣収納部へ収納させる出金制御部と、
を具備することを特徴とする貨幣入出金機。
【相違点１】
　本願発明が、複数の正常貨幣収納部の全てに対し紙幣の入出を検出する貨幣入出検知手段を具備しているのに対して、引用例１記載の発明は、万券スタッカに対する貨幣入出検知手段を具備するか否か記載がない点。
【相違点２】
　リジェクト貨幣収納部について、本願発明では、入金時のリジェクト紙幣と出金時のリジェクト紙幣を収納するものであるのに対して、引用例１記載の発明では、出金時のリジェクト紙幣を収納するものである点。
【相違点３】
　入金制御部について、本願発明では、係員が正常な紙幣であることを確認して受取ったにもかかわらず金種の識別ができなかった貨幣をリジェクト貨幣収納部へ収納させる入金制御を行っているのに対して、引用例１記載の発明では、そのような入金制御は行っていない点。
【相違点４】
　本願発明１では、貨幣入出検知手段の検知内容に基づいて各正常貨幣収納部の収納部内在高を記憶するとともにその収納部内在高の合計値を機内在高として設定する在高管理手段を具備しているのに対して、引用例１記載の発明では、そのような在高管理手段を具備していない点。
　
　上記相違点について、検討する。
【相違点１】について
　上記引用例２には、「金種別収納庫８、９、１０への現金の出入りを計数する入出金管理部８０ｄ」（上記Ｉ参照）が設けられた現金入出金装置が記載されており、この「金種別収納庫８、９、１０」が、本願発明の「正常貨幣収納部」に相当することは明らかである。即ち、正常貨幣収納部のそれぞれに対し貨幣の入出を計数することは、引用例２に記載されるように公知の技術手段であるから、引用例１記載の発明の万券スタッカに対する紙幣の入出の計数も行うようにすることは、当業者が容易に想到し得ることあると認められる。
　なお、計数のための具体的手段として、引用例１に記載された還流スタッカに対する紙幣の入出を検知する計数センサを、万券スタッカに対し出入する紙幣の検知にも用いることに、何ら困難性は認められない。
　したがって、相違点１を格別なものとすることはできない。
　
【相違点２】及び【相違点３】について
　上記相違点２及び相違点３は、入金紙幣のリジェクトについて、相互に関連する事項であるので、併せて検討する。
  上記引用例２の「出金取引や入金取引時に、斜行や重走がされた現金が、(３)の経路によりリジェクトカセット７に収納される。」（上記Ｊ参照）との記載からみて、引用例２には、斜行や重走された入金紙幣はリジェクトカセットに収納される入出金装置が記載されている。即ち、入金紙幣であっても、斜行・重走を起こしたものは、リジェクト貨幣収納部に収納されることは、引用例２に記載されるように公知の技術手段である。
　ところで、上記Ｅ、Ｇの記載によれば、引用例２に記載される現金入出金装置は、金融機関に設置され、テラー用端末装置に装着される装置であるから、当該装置は銀行の行員が操作するものであり、例えば、行員が顧客から渡される現金を入金するものである。その際、行員が、顧客から渡された現金が正常な紙幣であることを確認して、装置に入金することは言うまでもないことである。
　又、引用例２には、上記のとおり、斜行や重走された入金紙幣はリジェクトカセットに収納されることが記載されている。即ち、入金紙幣がリジェクトカセットに収納されるのは、「斜行・重走」のためであり、斜行や重走が生じると金種が判別できないことは当該技術分野の技術常識である。
　してみると、引用例２には、入金時のリジェクト紙幣をリジェクトカセットに収納すること、行員が正常な紙幣であることを確認して、入出金装置に入金しても、斜行や重走のために金種が判別できない場合は、当該入金紙幣がリジェクトカセットに収納されること、が記載されており、引用例２に記載された入出金装置が、そのような処理が行われるように制御する制御部を有していることは明らかである。
　即ち、上記相違点２に係る「入金時のリジェクト紙幣をリジェクトカセットに収納する」こと、及びその点に関連して、相違点３に関するような入金制御を行う入金制御部は、引用例２に記載される技術事項であり、この技術事項を、同様の技術分野に属する、引用例１記載の発明の紙幣入出金機に応用することは、当業者が容易に想到し得ることと認められる。
　なお、「係員が正常な紙幣であることを確認する」という行為そのものは、「貨幣入出金機」の構成に何ら関係のない事項である。
　以上のとおりであるから、上記相違点２及び相違点３を格別なものとすることはできない。
　
【相違点４】について
　上記引用例２に「この装置には、…(略)…金種別収納庫８、９、１０への現金の出入りを計数する入出金管理部８０ｄと、その入出金情報記憶部１００とが設けられている。また、入出金情報記憶部に記憶された入出金情報に基づいて、適時装置本体の現金の有高を算出し、その結果を上位装置１１０に向けて通知する有高管理制御部８０ｅが設けられている。」と記載される（上記Ｉ参照）ように、現金入出金装置（本願発明の「貨幣入出金機」に相当）が、金種別収納庫（本願発明の「正常貨幣収納部」に相当）に対する現金の出入を計数し、入出金装置内の在高を記憶し管理する有高管理制御部（本願発明の「在高管理手段」に相当）を備えること、即ち、上記相違点４に係る事項は公知の技術手段であるから、この技術手段を、同様の技術分野に属する、引用例１記載の発明の紙幣入出金機に応用することは、当業者が容易に想到し得ることと認められる。
　なお、万券スタッカの紙幣の検出については、相違点１に記載したとおりである。
　したがって、上記相違点４を格別なものとすることはできない。
　
【作用効果】について
　本願発明の奏する作用効果についても、引用例１及び２記載の発明の奏する作用効果の総和以上の格別なものとも認められない
　
５．まとめ
　以上のとおり、上記各相違点は格別なものとは認められず、又、作用効果においても、上記引用例１及び２記載の発明の奏する作用効果の総和以上の格別なものとも認められないから、本願発明は、上記引用例１及び２記載の発明に基づいて、当業者が容易に発明をすることができたものであり、特許法第２９条第２項の規定により特許を受けることができない。
　よって、結論のとおり審決する。